(57)【特許請求の範囲】
【請求項１】
防水扉の閉時に該防水扉の扉本体の周縁部が当接する戸当たりと、上面が床面に略面一となるように埋設され前記戸当たりが収納される上開口有底状の収納体とを有する戸当たり装置において、
前記戸当たりは、前記床面に対して略平行な倒伏位置から略垂直な起立位置まで防水扉の扉閉方向に回転可能な平板形状であって、前記戸当たりの扉閉方向後面を、前記扉本体の受ける水圧によって収納体内の受圧支持部に向かって押圧し、前記戸当たりを起立位置に固定保持させる起立保持構造を設けると共に、
該起立位置にある戸当たりにて、該戸当たりの扉閉方向後面と前記扉本体の周縁部との間、及び前記戸当たりの扉閉方向前面と前記収納体の受圧支持部との間に、それぞれ第一弾性体・第二弾性体を介装し、該第一弾性体・第二弾性体のいずれも、前記水圧によって圧縮状態とし、前記扉本体と床面との間を水密に閉塞させる水密構造を設け、
前記収納体の底面には、前記戸当たりの扉閉方向後面を上面で受けて底面から浮かせ支持するスペーサを設ける一方、前記戸当たりの扉閉方向前面には、該戸当たりを引き上げて回転させる把持部を設けることを特徴とする戸当たり装置。
【請求項２】
前記起立保持構造は、前記収納体の底面と戸当たりの回転基端部を回動可能に連結するヒンジと、前記戸当たりの扉閉方向前面より突設されて受圧支持部に当接可能なリブとを備えることを特徴とする請求項１に記載の戸当たり装置。
【請求項３】
前記戸当たりを倒伏位置から起立方向に回転していくと、前記第二弾性体がリブに先行して受圧支持部に当接することを特徴とする請求項２に記載の戸当たり装置。
【請求項４】
前記戸当たりを起立方向に付勢する第一起立動作補助部材と、前記戸当たりの起立時の回転を減速する第二起立動作補助部材とを備えることを特徴とする請求項１から請求項３のいずれか一項に記載の戸当たり装置。
【請求項５】
前記第一起立動作補助部材は、ねじりコイルバネであり、前記第二起立動作補助部材は、ダンパであることを特徴とする請求項４に記載の戸当たり装置。
【請求項６】
前記収納体の上部開口を閉塞すると上面が床面に略面一となる蓋板を設け、
該蓋板の回転基端部は、前記戸当たりよりも扉閉方向側の収納体の部位に、該戸当たりと一緒に扉閉方向に回転して起立可能に支持されると共に、
前記蓋体の下面には、先に前記収納体に収納されて倒伏位置にある戸当たりに近接可能な突部材を設けることを特徴とする請求項１から請求項５のいずれか一項に記載の戸当たり装置。
【請求項７】
前記第一弾性体・第二弾性体は、少なくとも一方に多層弾性体構造を備え、
該多層弾性体構造は、前記水圧による押圧部材側に配置した硬質弾性材に、該硬質弾性材よりも柔らかい軟質弾性材を積層し、該軟質弾性材を被押圧部材に当接可能に形成することを特徴とする請求項１から請求項６のいずれか一項に記載の戸当たり装置。
【請求項８】
前記第一弾性体は、いずれも多層弾性体構造である、被押圧部材の面内を押圧する第一弾性部と、被押圧部材の端部を押圧する第二弾性部とを備え、
前記第一弾性部は、前記硬質弾性材から成る断面視Ｐ型形状の第一基部の円筒部分の表面を、前記軟質弾性材から成る半割パイプ形状の第一表部で覆って形成し、
前記第二弾性部は、前記硬質弾性材から成る平板形状の第二基部の表面を、前記軟質弾性材から成る平板形状の第二表部で覆って形成することを特徴とする請求項７に記載の戸当たり装置。
【請求項９】
請求項１から請求項８のいずれか一項に記載の戸当たり装置を備えた防水扉であって、
通路途中や出入口の内周壁に設けられた扉枠と、
水平回動して該扉枠を開放・閉塞可能な止水板を有する扉本体と、
該扉本体の回転先端部を前記内周壁に固定するロック機構とを含み、
前記扉本体には、前記周縁部の扉閉方向前面にあって水圧により扉枠と戸当たりに押圧される外周弾性部を備え、該外周弾性部を前記第一弾性体により形成することを特徴とする防水扉。
【発明の詳細な説明】
【技術分野】
【０００１】
本発明は、防水扉の閉時に該防水扉の扉本体の周縁部が当接する戸当たりと、上面が床面に略面一となるように埋設され前記戸当たりが収納される上開口有底状の収納体とを有する戸当たり装置、およびそれを備えた防水扉に関し、特に、前記戸当たり装置の収納性・水密性を向上するための構成に関する。
【背景技術】
【０００２】
従来より、地下鉄、駐車場、建造物などの施設の通路や出入口には、豪雨や水害などの緊急の際に、施設内への浸水を防ぐための防水扉が設置されている。そして、該防水扉の形式には、起伏式・引き戸式・開き扉式があるが、このうちの起伏式では、通路や出入口の床内に、扉本体を収納するための大きな収納スペースが必要であり、引き戸式では、該収納スペースとして幅広の袖部が必要であることから、収納時には、ヒンジを中心に扉本体を回転させて左右側壁近傍に配置するだけでよく、前記収納スペースを別途に大きく確保する必要のない、開き扉式の防水扉に関する技術が注目され、公知となっている（例えば、特許文献１参照）。
【０００３】
該技術では、扉本体を閉じた際の水密性を確保するため、該扉本体の下縁部に当接して該下縁部と床面との間の隙間を塞ぐ止水保持枠（以下、「戸当たり」とする）が備えられており、通常時は、該戸当たりは床に設けた凹状の収納部に収納され、防水時には、該収納部から回転させて前記隙間に設置し、扉本体と床面との間を水密に閉塞するようにしている。
【先行技術文献】
【特許文献】
【０００４】
【特許文献１】特開２０１４−３４８４１号公報
【発明の概要】
【発明が解決しようとする課題】
【０００５】
しかしながら、前記技術では、戸当たりが、Ｔ字形状やＬ字形状のブロック体で形成されているため、該戸当たりを収納するのに要する収納部の深さが深くなり、既設の地下鉄通路などのように、鉄筋コンクリート梁の上に薄いセメントや化粧石が積層され、該鉄筋コンクリート梁との干渉を避けるべく浅い収納スペースしか確保できない場合には、前記技術の適用が難しい、という問題があった。
更に、前記戸当たりは、床面の所定位置にボルトなどの締結手段によって固定保持されるため、該締結手段の保管場所が別途に必要となるだけでなく、防水時に、締結作業に時間がかかって防水扉の閉操作が遅れる、という問題があった。
加えて、前記戸当たりは床面上に固定されると共に、該戸当たりと前記扉本体の下縁部との間には、単一のパッキンなどの弾性体が介装されているのみであり、扉本体の下縁部からの水圧が短時間で増加すると、単一の弾性体だけでは十分に応力を緩和できず、過大な応力集中による戸当たりの寿命劣化や、扉本体の下縁部と戸当たりとの間の片当たりによる水密性の悪化を招く、という問題があった。
【課題を解決するための手段】
【０００６】
本発明の解決しようとする課題は以上の如くであり、次にこの課題を解決するための手段を説明する。
すなわち、請求項１においては、防水扉の閉時に該防水扉の扉本体の周縁部が当接する戸当たりと、上面が床面に略面一となるように埋設され前記戸当たりが収納される上開口有底状の収納体とを有する戸当たり装置において、前記戸当たりは、前記床面に対して略平行な倒伏位置から略垂直な起立位置まで防水扉の扉閉方向に回転可能な平板形状であって、前記戸当たりの扉閉方向後面を、前記扉本体の受ける水圧によって収納体内の受圧支持部に向かって押圧し、前記戸当たりを起立位置に固定保持させる起立保持構造を設けると共に、該起立位置にある戸当たりにて、該戸当たりの扉閉方向後面と前記扉本体の周縁部との間、及び前記戸当たりの扉閉方向前面と前記収納体の受圧支持部との間に、それぞれ第一弾性体・第二弾性体を介装し、該第一弾性体・第二弾性体のいずれも、前記水圧によって圧縮状態とし、前記扉本体と床面との間を水密に閉塞させる水密構造を設け、前記収納体の底面には、前記戸当たりの扉閉方向後面を上面で受けて底面から浮かせ支持するスペーサを設ける一方、前記戸当たりの扉閉方向前面には、該戸当たりを引き上げて回転させる把持部を設けるものである。
請求項２においては、前記起立保持構造は、前記収納体の底面と戸当たりの回転基端部を回動可能に連結するヒンジと、前記戸当たりの扉閉方向前面より突設されて受圧支持部に当接可能なリブとを備えるものである。
請求項３においては、前記戸当たりを倒伏位置から起立方向に回転していくと、前記第二弾性体がリブに先行して受圧支持部に当接するものである。
請求項４においては、前記戸当たりを起立方向に付勢する第一起立動作補助部材と、前記戸当たりの起立時の回転を減速する第二起立動作補助部材とを備えるものである。
請求項５においては、前記第一起立動作補助部材は、ねじりコイルバネであり、前記第二起立動作補助部材は、ダンパである。
請求項６においては、前記収納体の上部開口を閉塞すると上面が床面に略面一となる蓋板を設け、該蓋板の回転基端部は、前記戸当たりよりも扉閉方向側の収納体の部位に、該戸当たりと一緒に扉閉方向に回転して起立可能に支持されると共に、前記蓋体の下面には、先に前記収納体に収納されて倒伏位置にある戸当たりに近接可能な突部材を設けるものである。
請求項７においては、前記第一弾性体・第二弾性体は、少なくとも一方に多層弾性体構造を備え、該多層弾性体構造は、前記水圧による押圧部材側に配置した硬質弾性材に、該硬質弾性材よりも柔らかい軟質弾性材を積層し、該軟質弾性材を被押圧部材に当接可能に形成するものである。
請求項８においては、前記第一弾性体は、いずれも多層弾性体構造である、被押圧部材の面内を押圧する第一弾性部と、被押圧部材の端部を押圧する第二弾性部とを備え、前記第一弾性部は、前記硬質弾性材から成る断面視Ｐ型形状の第一基部の円筒部分の表面を、前記軟質弾性材から成る半割パイプ形状の第一表部で覆って形成し、前記第二弾性部は、前記硬質弾性材から成る平板形状の第二基部の表面を、前記軟質弾性材から成る平板形状の第二表部で覆って形成するものである。
請求項９においては、戸当たり装置を備えた防水扉であって、通路途中や出入口の内周壁に設けられた扉枠と、水平回動して該扉枠を開放・閉塞可能な止水板を有する扉本体と、該扉本体の回転先端部を前記内周壁に固定するロック機構とを含み、前記扉本体には、前記周縁部の扉閉方向前面にあって水圧により扉枠と戸当たりに押圧される外周弾性部を備え、該外周弾性部を前記第一弾性体により形成するものである。
【発明の効果】
【０００７】
本発明は、以上のように構成したので、以下に示す効果を奏する。
すなわち、請求項１により、収納時には、平板形状で薄い戸当たりを床面に略平行な倒伏位置に配置することができ、該戸当たりの収納体の深さを薄くし、既設の地下鉄通路などのように、鉄筋コンクリート梁の上に薄いセメントや化粧石を積層していて浅い収納スペースしか確保できない場合にも、容易に適用することができる。更に、戸当たりの起立位置への固定保持を水圧のみによって行うことができ、ボルトなどの締結手段を省くことで、締結手段の保管場所が不要となるだけでなく、締結作業をなくして防水扉の閉操作を迅速に行うことができる。加えて、扉本体の下縁部からの水圧を複数の弾性体に分散させることができ、応力集中軽減による戸当たりの寿命向上や、扉本体の下縁部と戸当たりとの間の片当たりの抑制による防水扉の水密性向上を図ることができる。また、スペーサで設けた、戸当たりと底面間の隙間に指をかけたり、把持部を把持することで、戸当たりを容易に引き上げて起立方向に回転させることができ、防水扉の閉操作を一層迅速に行うことができる。更に、把持部を戸当たりの扉閉方向前面に設けることで、扉本体との干渉を防止することができ、把持するための空間を大きく確保し、戸当たりを一層容易に引き上げて起立方向に回転させることができる。
請求項２により、簡単な構成で起立保持構造を設けることができ、部品数削減による装置コストの低減、メンテナンス性の向上を図ることができる。更に、リブによって平板形状で薄い戸当たりの剛性を高めることができ、過大な水圧によっても戸当たりが破損することがなく、強度上昇による戸当たりの更なる寿命向上を図ることができる。
請求項３により、前記第二弾性体を、高圧縮状態で戸当たりと受圧支持部との間に介装することができ、戸当たりと受圧支持部間の水密性を向上させることができる。
請求項４により、第一起立動作補助部材によって戸当たりの起立操作の操作力を軽減することができ、更に、第二起立動作補助部材によって該戸当たりを緩やかに回転させることができ、起立操作の操作負荷の大幅な軽減を図ることができる。
請求項５により、前記第一起立動作補助部材・第二起立動作補助部材のいずれもコンパクトに形成することができ、戸当たりを納めた収納体の浅い収納スペースにも容易に収納することができる。
請求項６により、防水時には、収納体の上部開口を閉塞していた蓋体を、戸当たりと干渉することなく回転して起立させておくことができ、蓋体の取り外しと保管が不要となって、防水扉の閉操作の操作性向上や防水扉のコンパクト化を図ることができる。更に、たとえ、通常時に蓋体が歩行者や荷物など通過物の重量によって下方に撓んでも、該蓋体は、倒伏位置にある戸当たりの上面に当接された突部材によって支えることができ、該蓋体の高さを床面と略面一に保持して、蓋体上における通過物の円滑な通過を可能とする。
請求項７により、硬質弾性材により、弾性体全体の変形を抑制して軟質弾性材を堅固に支持した上で、該軟質弾性材を、前記被押圧部材の外形に沿って自在に変形させることができ、押圧部材と被押圧部材間を隙間なく埋めて、弾性体の水密性能を著しく向上させることができる。
請求項８により、被押圧部材の面内には、内部に空孔を有していて弾性変形量が大きい第一基部の円筒部分により支持した第一表部を当接して、第一弾性部を高圧縮状態とし、被押圧部材の端部には、平板形状であって端部で発生する隙間が小さい第二基部により支持した第二表部を当接して、該端部を隙間なく閉塞することができ、被押圧部材の部位に適した弾性部を当接し、様々な形状の被押圧部材への対応が可能となって、高い水密性能が得られる。
請求項９により、起伏式防水扉のような床内の扉収納スペースや、引き戸式防水扉のような扉収納スペースとしての幅広の袖部が不要となり、通常時には、扉本体を水平回動させて左右側壁近傍に設けた戸袋などに収納するだけでよく、扉本体の収納スペースを別途に大きく確保する必要がない。一方、防水時には、扉本体の回転先端部を内周壁にロックした状態で、水圧によって外周弾性部を扉枠と戸当たりに押圧することができ、扉本体の幅中央などにロック機構を設けた場合のように、前記扉枠と戸当たりに作用する水圧が該ロック機構に支持されて大きく減少することを防止し、扉本体を閉じた際の水密性を十分に確保することができる。
【図面の簡単な説明】
【０００８】
【図１】本発明に係わる防水扉の全体構成を示す斜視図である。
【図２】同じく正面図である。
【図３】同じく背面図である。
【図４】同じく平面一部断面図である。
【図５】第二ロック装置の斜視図であって、図５（ａ）は係止部の斜視図であり、図５（ｂ）は被係止部の斜視図である。
【図６】戸当たり装置の斜視図であって、図６（ａ）は通常時の戸当たり装置の斜視図であり、図６（ｂ）は防水時の戸当たり装置の斜視図である。
【図７】通常時の戸当たり装置の側面一部断面図である。
【図８】防水時の戸当たり装置の側面一部断面図である。
【図９】同じくパッキン周辺の側面拡大断面図である。
【図１０】別形態の戸当たり装置における防水時の側面一部断面図である。
【図１１】同じく右部周辺の平面一部断面図である。
【図１２】同じく右部周辺の背面図である。
【発明を実施するための形態】
【０００９】
以下、本発明の実施の形態について詳細に説明する。
なお、図１の矢印Ｆで示す方向を戸当たり装置２およびそれを備えた防水扉１の前方とし、矢印Ｒで示す方向を右方として、以下で述べる各部材の位置や方向等はこの前方・右方を基準とするものである。
【００１０】
まず、本発明に係わる防水扉１の全体構成とその動作について、図１乃至図５により説明する。
該防水扉１は、前述の如く、地下鉄などの通路や出入口に設置して、豪雨や水害などの際に施設内への浸水を防ぐものである。そして、本実施形態に係わる防水扉１は、該防水扉１の扉本体８の左右方向中央部が後方に屈曲する中折れ式であって、該扉本体８の左側端を中心に水平回動して開閉動作を行う片開き式に構成されている。
【００１１】
更に、該防水扉１は、平坦な通路３から階段通路５に出入りするための出入口４に設置されると共に、豪雨や水害による水は、前記通路３側から階段通路５側に向かって流れており、前記扉本体８を図４の矢印１８で示す方向（以下、「扉閉方向」とする）に押動して出入口４を閉じると、行き場のなくなった水が該扉本体８の後方空間に滞留し、動的または静的な水圧が、後方から前方に向け、扉本体８を扉閉方向１８である前方に押圧するように作用する。そして、このような防水扉１は、前記出入口４の内周壁６に設けられた扉枠７、前記扉本体８、戸袋９、回転機構１０、ロック機構１１、及び戸当たり装置２が備えている。
【００１２】
このうちの扉枠７は、図１乃至図３に示すように、前記出入口４の内周壁６に嵌合し固定される上枠部７ａと、左右の縦枠部７ｂ・７ｃとから構成され、正面視で下方に開いたＵ字形状に形成されると共に、該縦枠部７ｂ・７ｃの下端間に、本発明に係わる前記戸当たり装置２が介設されている。
【００１３】
これにより、前記扉本体８を閉じて、該扉本体８の周縁部８ａの前面を、前記扉枠７と、前記戸当たり装置２の戸当たり１６とに当接した状態で、該扉本体８に後方から高い水圧を作用させるようにしている。
【００１４】
前記扉本体８は、図１乃至図４に示すように、略同一の形状と大きさを有する矩形状の左右の止水板１３・１４と、止水板１３の前面の右端縁と止水板１４の前面の左端縁間を後方に屈曲可能に連結する複数のヒンジ１５と、前記周縁部８ａの前面８ａ２に固着された外周弾性部１２と、止水板１３の後面の右端縁と止水板１４の後面の左端縁間を連結する複数の連結具１９とから構成される。
【００１５】
これにより、前記ヒンジ１５を取り付けた連結部８ｂを前方に押動すると、前記止水板１３・１４をヒンジ１５を中心に回動して同一面上に展開した上で、該ヒンジ１５と前後方向反対側を連結具１９で連結することができ、止水板１３・１４を屈曲不能に一体化し、扉本体８を折り畳み状態から展開保持状態に移行させることができる。
【００１６】
更に、このように展開保持状態となった扉本体８の周縁部８ａの前面８ａ２には、前述の如く、前記外周弾性部１２が固着されており、該外周弾性部１２を、当接状態で扉本体８に後方から作用する水圧によって、前記周縁部８ａと、前記扉枠７または戸当たり１６との間に高圧縮状態で介装させることができる。
【００１７】
前記戸袋９は、図４に示すように、平面断面視Ｌ字形状であって、前記左側壁部６ａから右方に突設される突設板部９ａと、該突設板部９ａの右端のヒンジ２１を中心にして位置２３から位置２４まで回動可能な平面断面視Ｌ字形状の袋本体９ｂと、該袋本体９ｂの前端のヒンジ２２を中心にして位置２３から位置２５まで回動可能な開閉板部９ｃとから構成される。
【００１８】
そして、その前開放部９ｄを前記扉枠７の左縦枠部７ｂによって閉塞し、左開放部９ｅを前記内周壁６の左側壁部６ａとによって閉塞することにより、戸袋９内に、前記扉本体８を収納可能な収納空間２０が形成される。
【００１９】
これにより、前記袋本体９ｂ・開閉板部９ｃをヒンジ２１・２２を中心に回転して戸袋９を展開してから、前記扉本体８を後方に屈曲して折り畳んだ状態で前記収納空間２０の位置に移動した後、再び戸袋９を折り畳んで袋状態に復元することにより、扉本体８が戸袋９内に収納できるようにしている。
【００２０】
前記回転機構１０は、図３、図４に示すように、上下のヒンジ部１０ａ・１０ｂから成り、いずれも、前記収納空間２０の前端部にあって上下方向の回転軸心を有する共通の回転軸２８と、前記左縦枠部７ｂの後面に固設されて回転軸２８を回転自在に支持する支持ステー２６と、前記回転軸２８に固設されて一体回転する連結ステー２７とを備え、該連結ステー２７の外端に、前記扉本体８の止水板１３の左端部が複数のボルト３２によって締結されている。
【００２１】
これにより、前記折り畳み状態または展開保持状態にある扉本体８を、前記回転軸２８を中心にして、前記扉本体８を折り畳んで収納空間２０内に収納する収納位置２９から出入口４を閉じる閉位置３０まで、自在に回動させることができる。
【００２２】
前記ロック機構１１は、図３乃至図５に示すように、上から順に配設した、第一ロック装置１１ａ、第二ロック装置１１ｂ、第三ロック装置１１ｃと、これらロック装置１１ａ・１１ｂ・１１ｃ間を相互にリンクするリンクワイヤ３６とから構成されており、該リンクワイヤ３６を介することにより、前記第二ロック装置１１ｂのロック操作に連動して、残りの第一ロック装置１１ａ・第三ロック装置１１ｃも同時にロックされるようにしている。
【００２３】
このうちの第二ロック装置１１ｂは、前記止水板１４の右端の上下途中に設けた係止部１１ｂ１と、該係止部１１ｂ１から突出するロックバー３５ｂを係止する被係止部１１ｂ２とから構成される。該被係止部１１ｂ２は、前記内周壁６に固定された右縦枠部７ｃよりも後方の縦枠部７ｄにあって、その左側面の上下途中に配置されている。
【００２４】
そして、前記係止部１１ｂ１においては、前記止水板１４の後面に固設された矩形状の基板３３から、該基板３３に垂直な回転軸心を有する支軸３４が突設され、該支軸３４の突出端には、該支軸３４に外嵌固定されて一体回転可能な回転体３５が取り付けられている。
【００２５】
該回転体３５は、背面視で前記支軸３４を境にして左斜め上方に延びる把持アーム３５ａと、支軸３４を挟んで該把持アーム３５ａと反対側にあって右斜め下方に延びる丸棒状のロックバー３５ｂと、前記把持アーム３５ａまでの途中部にあって支軸３４よりも径方向外側に設けたリンクピン３５ｃとから構成され、該リンクピン３５ｃは、上下方向に延びる前記リンクワイヤ３６の途中部に連結されている。
【００２６】
更に、前記止水板１４の右縁部１４ａでロックバー３５ｂの回転軌跡上には、該ロックバー３５ｂが通過して外部に突出可能な長孔１４ａ１が開口されている。
【００２７】
一方、前記被係止部１１ｂ２においては、前記縦枠部７ｄの左側面７ｄ１で長孔１４ａ１に対向する位置には、矩形板状の被係止具３８が上下のボルト３９・３９によって締結固定されている。
【００２８】
そして、該被係止具３８には、前記長孔１４ａ１から突出したロックバー３５ｂが挿嵌される係止凹部３８ａが形成され、該係止凹部３８ａは、該ロックバー３５ｂの直径と略同じ幅を有する上半凹部３８ａ１と、該上半凹部３８ａ１から下方に離間するほど幅が徐々に拡大する下半凹部３８ａ２とから構成されている。
【００２９】
前記第一ロック装置１１ａも、係止部１１ａ１と被係止部１１ａ２とから構成されるが、該被係止部１１ａ２は、前記被係止部１１ｂ２と同じ構成である一方、係止部１１ａ１は、前記係止部１１ｂ１において、前記回転体３５を、該回転体３５から把持アーム３５ａをなくした回転体３５Ａに変更したものとなっている。
【００３０】
前記第三ロック装置１１ｃも、係止部１１ｃ１と被係止部１１ｃ２とから構成され、それぞれ、前記第一ロック装置１１ａの係止部１１ａ１と被係止部１１ａ２と同じ構成である。そして、これら第一ロック装置１１ａ・第三ロック装置１１ｃの各回転体３５Ａのリンクピン３５ｃも、前記リンクワイヤ３６の途中部に連結されている。
【００３１】
これにより、前記第二ロック装置１１ｂにおいて、前記把持アーム３５ａを把持して回転体３５を矢印３７の方向に回転させると、該回転体３５のロックバー３５ｂは、前記長孔１４ａ１から突出した後、下方から幅広の前記下半凹部３８ａ２内に挿入され、該下半凹部３８ａ２内を摺動しながら前記上半凹部３８ａ１内に円滑に導かれて嵌合し、第二ロック装置１１ｂがロック動作される。
【００３２】
この際、該第二ロック装置１１ｂのリンクピン３５ｃも矢印３７の方向に回転するため、前記リンクワイヤ３６が下降し、前記第一ロック装置１１ａ・第三ロック装置１１ｃのリンクピン３５ｃも、それぞれ矢印４０・４１の方向に回転し、ロックバー３５ｂが上半凹部３８ａ１内に嵌合し、その結果、全てのロック装置１１ａ・１１ｂ・１１ｃを同時にロック動作される。
【００３３】
なお、前記係止部１１ｂ１の直上方の横フレーム１４ｂの上面には、一方の手で把持して止水板１４を前後に押し引きし、扉本体８の開閉動作を行うための取っ手４２が固設されている。そして、該取っ手４２を把持しながら他方の手で前記把持アーム３５ａを把持することで、該把持アーム３５ａの回動操作を容易なものとしている。
【００３４】
以上のような構成において、前記防水扉１を以下のように動作させることができる。
すなわち、図３、図４に示すように、通常時は、扉本体８を折り畳み状態にした上で、左側壁部６ａに設けた戸袋９内の収納空間２０内に収納しておく。そして、防水時には、まず、戸当たり装置２を後で詳述する所定の動作状態に設定した後、ヒンジ２１を中心にして、袋本体９ｂを位置２３から位置２４まで矢印８０の方向に回動し、戸袋９を展開する。
【００３５】
その後、取っ手４２を把持して前方に押動することにより、回転軸２８を中心にして、折り畳み状態にある扉本体８を収納位置２９から閉位置３０まで矢印８１の方向に回動しながら、ヒンジ１５を中心にして、止水板１３・１４を徐々に回動して同一面上に展開する。
【００３６】
続いて、前記閉位置３０において、止水板１３・１４を連結具１９で連結して屈曲不能に一体化し、扉本体８を展開保持状態に移行させると共に、取っ手４２を把持しながら第二ロック装置１１ｂの把持アーム３５ａを把持して矢印３７の方向に回転し、全てのロック装置１１ａ・１１ｂ・１１ｃをロック動作させる。この際、後方から作用する水圧によって前記外周弾性部１２が扉枠７と戸当たり１６に押圧される。
【００３７】
その後、展開していた戸袋９において、ヒンジ２２を中心にして開閉板部９ｃを袋本体９ｂに対して後方に９０度回転させた状態で、ヒンジ２１を中心にして袋本体９ｂを位置２４から位置２３まで回動することで、戸袋９を扉本体８と干渉しないように折り畳んで袋状態に復元させ、これにより、防水扉１の閉操作が完了する。開操作については、逆の手順にて行うことができる。
【００３８】
次に、前記戸当たり装置２について、図６乃至図８により説明する。
該戸当たり装置２は、前記防水扉１の閉時に、その扉本体８の周縁部８ａのうちの下縁部８ａ１が後方より当接する前記戸当たり１６と、該戸当たり１６を収納部１７ａに収納する収納体１７とを備える。
【００３９】
そして、このうちの戸当たり１６は、回転可能な薄い平板形状であって、その回転基端部１６ａの後面１６ｄは、ヒンジ４３を介して、前記収納部１７ａの底面１７ａ１上に前後回動可能に連結される一方、前記回転基端部１６ａの前面１６ｃには、左右方向に延びる帯状のゴム部材などの弾性体から成る平板形状の平板パッキン４８が貼着されている。
【００４０】
更に、前記戸当たり１６の前面１６ｃ上で平板パッキン４８よりも回転先端側には、該前面１６ｃと直交する立設辺４４ａを回転基端側に有する側面視直角三角形状のリブ４４が、複数突設されている。そして、前記戸当たり１６の前面１６ｃには、前記リブ４４の先端を跨ぐようにして取っ手４９も固設されている。
【００４１】
これにより、該取っ手４９を把持して引き上げると、前記戸当たり１６を、前記ヒンジ４３の支軸４３ａを中心にして、前記底面１７ａ１に略平行な倒伏位置４５から、前記底面１７ａ１に略垂直な起立位置４６まで、前方に回転させることができる。
【００４２】
前記収納体１７は、上開口有底状であって、該収納体１７の後端上部の角部に形成された側面断面視Ｌ字形状の棚部１７ｂ、前記収納体１７の前部で左右方向に延びた溝部１７ｄ、及び該溝部１７ｄの後側の縦壁部１７ｄ１と前記収納部１７ａの前側の縦壁部１７ａ２との上端間を接続して成る左右方向に延びた帯状突部１７ｃを備える。
【００４３】
そして、該帯状突部１７ｃの縦壁部１７ａ２には、起立位置４６にある戸当たり１６の平板パッキン４８が当接され、前記帯状突部１７ｃの上面１７ｃ１には、起立位置４６にある戸当たり１６のリブ４４の立設辺４４ａが、所定の隙間５０をあけて近設配置されている。
【００４４】
これにより、前記戸当たり１６を、前記倒伏位置４５から矢印５１に示す方向（以下、「起立方向」とする）に押動して回転させていくと、先に起立位置４６にて、平板パッキン４８が帯状突部１７ｃの縦壁部１７ａ２に当接し、続いて、該平板パッキン４８が前記戸当たり１６の回転基端部１６ａと帯状突部１７ｃの縦壁部１７ａ２との間で高圧縮されながら、戸当たり１６が更に前方に回転する。
【００４５】
すると、前記隙間５０は徐々に縮小していき起立位置４６ａではなくなり、前記リブ４４の立設辺４４ａが帯状突部１７ｃの上面１７ｃ１に当接する。つまり、前記隙間５０を設けることにより、前記平板パッキン４８がリブ４４に先行して帯状突部１７ｃに当接できるようにしている。なお、前述の如く、該リブ４４は戸当たり１６の前面１６ｃから複数突設されており、該戸当たり１６の剛性も高めるようにしている。
【００４６】
また、前記外周弾性部１２はＰ型パッキン４７により形成されており、該外周弾性部１２の下部のＰ型パッキン４７が、前記起立位置４６にある戸当たり１６の上半部１６ｂの後面１６ｄに、当接されるようにしている。
【００４７】
これにより、前述のようにして防水扉１を閉じた状態で、動的または静的な水圧によって扉本体８が前方に押圧されると、該Ｐ型パッキン４７を介して、前記戸当たり１６の後面１６ｄが更に帯状突部１７ｃに向かって押圧される。
【００４８】
すると、該戸当たり１６の前方への回転は、扉本体８の受ける水圧が小さい場合は、平板パッキン４８が帯状突部１７ｃに当接した時点で停止し、戸当たり１６が前記起立位置４６に固定保持される。扉本体８の受ける水圧が大きい場合は、平板パッキン４８が圧縮されてリブ４４が帯状突部１７ｃに至る途中または当接した時点で戸当たり１６の回転が停止し、戸当たり１６が回転途中の起立位置４６ｂまたは前記起立位置４６ａに固定保持される。このようにして、固定保持が水圧のみによって可能な起立保持構造５３が、簡単な構成で形成されている。
【００４９】
この際、前記防水扉１を閉じた状態で、前記扉本体８の下縁部８ａ１にかかる水圧は、前記Ｐ型パッキン４７から、前記起立位置４６・４６ａ・４６ｂにある戸当たり１６と、平板パッキン４８とを介して、前記収納体１７内の帯状突部１７ｃに伝達される構成となっている。
【００５０】
これにより、動的または静的な水圧が扉本体８に作用すると、前記戸当たり１６の後面１６ｄと扉本体８の下縁部８ａ１との間にあるＰ型パッキン４７、及び前記戸当たり１６の前面１６ｃと収納体１７内の帯状突部１７ｃとの間にある平板パッキン４８に水圧が分散され、該分散圧力による圧縮状態に、Ｐ型パッキン４７・平板パッキン４８が移行する。
【００５１】
すると、前記扉本体８と、前記帯状突部１７ｃを設けた収納体１７を埋設した通路３の床面３ａとの間を水密に閉塞可能な水密構造５４が形成される。
【００５２】
また、前記収納体１７の収納部１７ａの底面１７ａ１上には、ゴム部材などの弾性体から成る四角柱状のスペーサ５５が、その長手方向が左右方向となるように、同一左右線８２上に複数並設され、該スペーサ５５の上面５５ａの高さは、倒伏位置４５にある戸当たり１６の後面１６ｄが、前記底面１７ａ１に略平行となるように設定されている。
【００５３】
これにより、倒伏位置４５において、戸当たり１６を底面１７ａ１から浮かせて支持することができ、前記戸当たり１６と底面１７ａ１間の隙間５６に一方の手をかけたまま、他方の手で、前記戸当たり１６の前面１６ｃに固設した取っ手４９を把持し、戸当たり１６をヒンジ４３を中心にして容易に引き上げることができる。
【００５４】
更に、各ヒンジ４３近傍には、図６に示すように、ねじりコイルバネ５７が設置されている。該ねじりコイルバネ５７は、その一端部５７ａが、前記収納体１７の底面１７ａ１に当接され、他端部５７ｂが、前記戸当たり１６の後面１６ｄに当接されると共に、該両端部５７ａ・５７ｂ間が圧縮された状態で、前記底面１７ａ１と戸当たり１６間にコンパクトに挿設されている。
【００５５】
加えて、前記戸当たり１６の右側方には、ダンパ５８が設置されている。該ダンパ５８はガス封入タイプなどであって、そのピストンロッド部５８ａの先端が、ヒンジ５９ａを介して、前記戸当たり１６の右側面１６ｅに回動自在に連結される一方、前記ダンパ５８のシリンダ部５８ｂの基端が、ヒンジ５９ｂを介して、前記収納部１７ａの底面１７ａ１に回動自在に連結された状態で、前記底面１７ａ１と戸当たり１６間にコンパクトに挿設されている。
【００５６】
これにより、前記ねじりコイルバネ５７の弾性力によって戸当たり１６を起立方向５１に付勢した状態で、前記取っ手４９とスペーサ５５を使い、前記戸当たり１６を小さな力で引き上げて起立方向５１に回転させることができる。しかも、この際、前記ダンパ５８のシリンダ部５８ｂ内のエア室の容積変化で生じた弾性反力によって戸当たり１６に回転抵抗を作用させた状態で、前記戸当たり１６の回転を減速させることができる。  
【００５７】
また、前記収納体１７の上部開口１７ｅには、蓋板６０が覆設されている。該蓋板６０は、前記戸当たり１６よりも薄く回転可能な平板形状であって、その回転基端部６０ａは、ヒンジ６１を介して、前記戸当たり１６よりも前方にある溝部１７ｄの前側の縦壁部１７ｄ２の上部に支持されており、前記戸当たり１６と干渉することなく前方に回転して起立可能に構成されている。
【００５８】
更に、前記蓋体６０において、その上面６０ｃには、面全体に滑り止め用の突起６０ｅが複数形成されている。一方、前記蓋体６０の下面６０ｄにおいて、前記回転基端部６０ａには、左右方向に延びる角柱状のゴム部材などから成る支持部材６２が貼着されると共に、回転先端部６０ｂには、左右方向に延びる帯状のゴム部材などから成る支持部材６３が貼着されている。そして、下面６０ｄにおいて、該両支持部材６２・６３の略中央には、左右方向に延びる側面視Ｕ字形状の金具などから成る突部材６４が固設されている。
【００５９】
そして、前記蓋体６０によって上部開口１７ｅを閉塞すると、該蓋体６０の回転基端部６０ａの支持部材６２が、前記収納体１７の溝部１７ｄ内に挿入されて底面１７ｄ３に当接され、同時に、前記回転先端部６０ｂの支持部材６３も、前記収納体１７の棚部１７ｂに係止されて棚面１７ｂ１に当接されるが、この際の蓋体６０の上面６０ｃは、前記通路３の床面３ａに対して略面一となるように構成されている。本実施例では、前記支持部材６２・６３の厚さは、それぞれ前記溝部１７ｄ・棚部１７ｂの深さに等しく設定する。
【００６０】
加えて、前記上部開口１７ｅ閉塞時の突部材６４については、先に収納体１７に収納されて倒伏位置４５にある戸当たり１６との間に、所定の隙間６５が形成されている。
【００６１】
これにより、通常時には、支持部材６２・６３のみで蓋体６０を支持して、該蓋体６０の上面６０ｃを通路３の床面３ａに略面一に設定することができ、たとえ通過物の重量が大きくなって蓋体６０が下方に撓んでも、前記隙間６５がなくなって戸当たり１６上に当接した突部材６４によって、該蓋体６０を確実に支えることができる。
【００６２】
次に、前記Ｐ型パッキン４７、平板パッキン４８の構成について、図８乃至図１０により説明する。
図８、図９に示すように、該Ｐ型パッキン４７、平板パッキン４８のいずれにも、多層弾性体構造７３が形成されている。
【００６３】
このうちのＰ型パッキン４７は、前記扉本体８の下縁部８ａ１の前面８ａ２に固定された第一弾性部６６と、該第一弾性体６６の前面に固定された第二弾性部６９とから構成される。
【００６４】
そして、前記第一弾性部６６は、内部に空孔６７ａ２を有していて弾性変形量が大きい断面視Ｐ型形状の第一基部６７と、該第一基部６７の下半部の円筒部分６７ａの前面６７ａ１を覆うように積層される半割パイプ形状の第一表部６８とから形成される。この第一弾性部６６は、前記第一基部６７の上半部の平板部分６７ｂを、前記下縁部８ａ１と取り付け板７２との間で挟持してボルト５２で締結することにより、扉本体８の下縁部８ａ１に固定されている。
【００６５】
前記第一基部６７は、硬質のゴム部材などから成る硬質弾性材７８から形成される一方、前記第一表部６８は、スポンジ状のゴム部材などから成り前記硬質弾性材７８よりも柔らかい軟質弾性材７９から形成され、該第一表部６８が、前記起立位置４６にある戸当たり１６の上半部１６ｂの途中部の後面１６ｄに当接し、該後面１６ｄ内を押圧できるようにしている。
【００６６】
更に、前記第二弾性部６９は、薄い平板形状の第二基部７０と、該第二基部７０の前面７０ａを覆うように積層され第二基部７０よりも厚い平板形状の第二表部７１とから形成される。この第二弾性部６９は、前記第二基部７０を取り付け板７２の前面に貼着することにより、第一弾性部６６の前面に固定されている。
【００６７】
そして、前記第二基部７０も硬質弾性材７８から成り、第二表部７１も軟質弾性材７９から形成され、該第二表部７１が、前記起立位置４６にある戸当たり１６の回転先端部１６ｆの後面１６ｄに当接して、該回転先端部１６ｆを隙間なく押圧できるようにしている。
【００６８】
前記平板パッキン４８は、前記Ｐ型パッキン４７の第二弾性部６９と同様に、平板形状の基部７４と、該基部７４の前面７４ａを覆うように積層され基部７４よりも薄い平板形状の表部７５とから構成される。この平板パッキン４８は、前記基部７４を戸当たり１６の回転基端部１６ａの前面１６ｃに貼着することにより、戸当たり１６に固定されている。
【００６９】
そして、前記基部７４も硬質弾性材７８から成り、表部７５も軟質弾性材７９から形成され、該表部７５が、前記収納体１７内の帯状突部１７ｃの縦壁部１７ａ２に当接して、該収納体１７内の帯状突部１７ｃを押圧できるようにしている。
【００７０】
これにより、防水扉１を閉じた状態で、動的または静的な水圧によって扉本体８が前方に押圧されると、硬質弾性材７８である前記基部６７・７０・７４により、Ｐ型パッキン４７全体や平板パッキン４８全体の大きな変形を抑制し、軟質弾性材７９である前記表部６８・７１・７５を堅固に支持した上で、該表部６８・７１・７５を戸当たり１６や帯状突部１７ｃの外形に沿って自在に変形させることができる。
【００７１】
次に、別形態の戸当たり装置２Ａについて、図１０乃至図１２により説明する。
該戸当たり装置２Ａは、前記戸当たり装置２の構造強度を高めて、防水時の耐水圧性を向上させると共に、前記パッキン４７・４８の端部間の隙間を閉塞して、水密性も向上させたものである。
【００７２】
図１０に示すように、前記収納体１７の底面１７ａ１上には、敷板８３を介して前記ヒンジ４３の固定側プレート４３ｂが固設され、該固定側プレート４３ｂの後端と、前記収納部１７ａの後側の縦壁部１７ａ３との間に、止め板８４が前後端当接状態で介装されると共に、該止め板８４は、ボルト式などの複数のアンカー８５によって前記底面１７ａ１上に固定されている。
【００７３】
これにより、前記扉本体８からＰ型パッキン４７を介して戸当たり１６Ａに作用する水圧が過大となり、前記帯状突部１７ｃの後端部１７ｃ２を中心にして、該戸当たりの１６Ａの回転基端部１６Ａａが後方に大きな力で回転し、前記ヒンジ４３の取付部分やその周辺が、強く後方に押動されて剪断・座屈などで破損するような場合であっても、該ヒンジ４３の固定側プレート４３ｂを前記止め板８４によって強固に支持し、破損を十分に防止することができる。
【００７４】
更に、前記戸当たり１６Ａは、前記戸当たり１６の下端をヒンジ４３の支軸４３ａと略同じ高さ位置８６まで下方に延設したものであり、該下端１６Ａｂを前記支軸４３ａの近傍に配置して、該支軸４３ａに前記戸当たりの１６Ａの回転基端部１６Ａａからの回転力を作用させるようにしている。
【００７５】
これにより、該回転力を、前記支軸４３ａ・固定側プレート４３ｂ・止め板８４を通る略共通な面上で支持することができ、支持強度を高めて、前記ヒンジ４３の取付部分やその周辺の破損を更に確実に防止することができる。
【００７６】
なお、前記収納部１７ａの前側の縦壁部１７ａ２の前面には、断面視Ｌ字形状の補強部材８８の後面部８８ａが当接され、該補強部材８８の底面部８８ｂは、ボルト式などのアンカー８７によって前記通路３の内部に固定されており、前記帯状突部１７ｃの後端部１７ｃ２の構造強度を高めることができ、該後端部１７ｃ２の破損を防止するようにしている。
【００７７】
これ以外に、前記戸当たり１６Ａの前面１６Ａｃで、通常時に前記蓋体６０の突部材６４が当接する位置には、板状のゴム部材などから成る当て板８９を固設するようにしており、通常時の前記隙間６５を塞ぎ、前記蓋体６０上を通過する際の撓みをなくして、通行快適性を高めるようにしている。
【００７８】
更に、前記戸当たり１６Ａの下端１６Ａｂの下方の敷板８３上には、板状のゴム部材などの弾性体から成る平板パッキン９０が貼着されており、該平板パッキン９０は、前記戸当たり１６Ａの前面１６Ａｃに貼着した平板パッキン４８Ａと相まって、前記戸当たり１６Ａの下端１６Ａｂ下方を通って後方から侵入してくる水に対する水密性を、向上させることができる。
【００７９】
また、図１１、図１２に示すように、前記扉枠７の右縦枠部７ｃにおいて、その後面７ｃ１の内側の角部には、平面断面視Ｌ字形状の棚部７ｃ２が形成され、該棚部７ｃ２に、起立位置４６にある戸当たり１６Ａの右端１６Ａｄが後方から嵌合されており、この嵌合構造は、前述した戸当たり装置２においても同様である。
【００８０】
しかしながら、本形態の戸当たり装置２Ａにおいては、右側を短くした平板パッキン４８Ａの右端面４８Ａａと、前記閉位置３０にある扉本体８に設けたＰ型パッキン４７の前面４７ａとの間に、ゴム部材などの弾性体から成る予備パッキン７６が挿嵌されている。
【００８１】
該予備パッキン７６は、平面断面視Ｌ字形状の本体部７６ａと、舌状の外縁部７６ｂとから形成され、該本体部７６ａの左端面が前記平板パッキン４８Ａの右端面４８Ａａに当接され、前記本体部７６ａの後端面がＰ型パッキン４７の前面４７ａに当接されるようにして、予備パッキン７６が戸当たり１６Ａの右端１６Ａｄに嵌合固定されている。
【００８２】
これにより、矢印７７に示すように、過大な水圧によって平板パッキン４８Ａの右外側から未貼着の部分を通って、扉本体８の前方に浸出しようとする水の流れを、前記予備パッキン７６によって阻止することができ、防水扉の水密性の更なる向上を図ることができる。
【００８３】
すなわち、以上のような構成により、防水扉１の閉時に該防水扉１の扉本体８の周縁部８ａが当接する戸当たり１６と、上面が床面３ａに略面一となるように埋設され前記戸当たり１６が収納される上開口有底状の収納体１７とを有する戸当たり装置２において、前記戸当たり１６は、前記床面３ａに対して略平行な倒伏位置４５から略垂直な起立位置４６・４６ａ・４６ｂまで防水扉１の扉閉方向１８に回転可能な平板形状であって、前記戸当たり１６の扉閉方向後面である後面１６ｄを、前記扉本体８の受ける水圧によって収納体１７内の受圧支持部である帯状突起１７ｃに向かって押圧し、前記戸当たり１６を起立位置４６・４６ａ・４６ｂに固定保持させる起立保持構造５３を設けると共に、該起立位置４６・４６ａ・４６ｂにある戸当たり１６にて、該戸当たり１６の後面１６ｄと前記扉本体８の周縁部８ａとの間、及び前記戸当たり１６の扉閉方向前面である前面１６ｃと前記収納体１７の帯状突起１７ｃとの間に、それぞれ第一弾性体であるＰ型パッキン４７と、第二弾性体である平板パッキン４８を介装し、該Ｐ型パッキン４７・平板パッキン４８のいずれも、前記水圧によって圧縮状態とし、前記扉本体８と床面３ａとの間を水密に閉塞させる水密構造５４を設けたので、収納時には、平板形状で薄い戸当たり１６を床面３ａに略平行な倒伏位置４６に配置することができ、該戸当たり１６の収納体１７の深さを薄くし、既設の地下鉄通路などのように、鉄筋コンクリート梁の上に薄いセメントや化粧石を積層していて浅い収納スペースしか確保できない場合にも、容易に適用することができる。更に、戸当たり１６の起立位置４６・４６ａ・４６ｂへの固定保持を水圧のみによって行うことができ、ボルトなどの締結手段を省くことで、締結手段の保管場所が不要となるだけでなく、締結作業をなくして防水扉１の閉操作を迅速に行うことができる。加えて、扉本体８の下縁部８ａ１からの水圧を複数の弾性体であるＰ型パッキン４７・平板パッキン４８に分散させることができ、応力集中軽減による戸当たり１６の寿命向上や、扉本体８の下縁部８ａ１と戸当たり１６との間の片当たりの抑制による防水扉１の水密性向上を図ることができる。
【００８４】
更に、前記起立保持構造５３は、前記収納体１７の底面１７ａ１と戸当たり１６の回転基端部１６ａを回動可能に連結するヒンジ４３と、前記戸当たり１６の扉閉方向前面である前面１６ｃより突設されて受圧支持部である帯状突部１７ｃに当接可能なリブ４４とを備えるので、簡単な構成で起立保持構造５３を設けることができ、部品数削減による装置コストの低減、メンテナンス性の向上を図ることができる。更に、リブ４４によって平板形状で薄い戸当たり１６の剛性を高めることができ、過大な水圧によっても戸当たり１６が破損することがなく、強度上昇による戸当たり１６の更なる寿命向上を図ることができる。
【００８５】
加えて、前記戸当たり１６を倒伏位置４５から起立方向５１に回転していくと、前記第二弾性体である平板パッキン４８がリブ４４に先行して受圧支持部である帯状突部１７ｃに当接するので、前記平板パッキン４８を、高圧縮状態で戸当たり１６と帯状突部１７ｃとの間に介装することができ、戸当たり１６と帯状突部１７ｃ間の水密性を向上させることができる。
【００８６】
そして、前記収納体１７の底面１７ａ１には、前記戸当たり１６の扉閉方向後面である後面１６ｄを上面５５ａで受けて底面１７ａ１から浮かせ支持するスペーサ５５を設ける一方、前記戸当たり１６の扉閉方向前面である前面１６ｃには、該戸当たり１６を引き上げて回転させる把持部である取っ手４９を設けるので、スペーサ５５で設けた、戸当たり１６と底面１７ａ１間の隙間５６に指をかけたり、取っ手４９を把持することで、戸当たり１６を容易に引き上げて起立方向５１に回転させることができ、防水扉１の閉操作を一層迅速に行うことができる。更に、取っ手４９を戸当たり１６の前面１６ｃに設けることで、扉本体８との干渉を防止することができ、把持するための空間を大きく確保し、戸当たり１６を一層容易に引き上げて起立方向５１に回転させることができる。
【００８７】
更に、前記戸当たり１６を起立方向５１に付勢する第一起立動作補助部材であるねじりコイルバネ５７と、前記戸当たり１６の起立時の回転を減速する第二起立動作補助部材であるダンパ５８を備えるので、ねじりコイルバネ５７によって戸当たり１６の起立操作の操作力を軽減することができ、更に、ダンパ５８によって該戸当たり１６を緩やかに回転させることができ、起立操作の操作負荷の大幅な軽減を図ることができる。
【００８８】
加えて、前記第一起立動作補助部材はねじりコイルバネ５７であり、前記第二起立動作補助部材はダンパ５８であるので、前記第一起立動作補助部材・第二起立動作補助部材のいずれもコンパクトに形成することができ、戸当たり１６を納めた収納体１７の浅い収納スペースにも容易に収納することができる。
【００８９】
そして、前記収納体１７の上部開口１７ｅを閉塞すると上面６０ｃが床面３ａに略面一となる蓋板６０を設け、該蓋板６０の回転基端部６０ａは、前記戸当たり１６よりも扉閉方向１８側の収納体１７の部位である縦壁部１７ｄ２の上部に、該戸当たり１６と一緒に扉閉方向１８に回転して起立可能に支持されると共に、前記蓋体６０の下面６０ｄには、先に前記収納体１７に収納されて倒伏位置４５にある戸当たり１６に近接可能な突部材６４を設けるので、防水時には、収納体１７の上部開口１７ｅを閉塞していた蓋体６０を、戸当たり１６と干渉することなく回転して起立させておくことができ、該蓋体６０の取り外しと保管が不要となって、防水扉１の閉操作の操作性向上や防水扉１のコンパクト化を図ることができる。更に、たとえ、通常時に蓋体６０が歩行者や荷物など通過物の重量によって下方に撓んでも、該蓋体６０は、倒伏位置４５にある戸当たり１６の上面である前面１６ｃに当接した突部材６４によって支えることができ、該蓋体６０の高さを床面３ａと略面一に保持して、蓋体６０上における通過物の円滑な通過を可能とする。
【００９０】
更に、前記第一弾性体であるＰ型パッキン４７と第二弾性体である平板パッキン４８は、少なくとも一方に多層弾性体構造７３を備え、該多層弾性体構造７３は、前記水圧による押圧部材である扉本体８側（Ｐ型パッキン４７の場合）または戸当たり１６側（平板パッキン４８の場合）に配置した硬質弾性材７８に、該硬質弾性材７８よりも柔らかい軟質弾性材７９を積層し、該軟質弾性材７９を被押圧部材である戸当たり１６（Ｐ型パッキン４７の場合）または帯状突部１７ｃ（平板パッキン４８の場合）に当接可能に形成するので、硬質弾性材７８により、弾性体であるＰ型パッキン４７・平板パッキン４８の全体の変形を抑制して軟質弾性材７９を堅固に支持した上で、該軟質弾性材７９を、前記戸当たり１６（Ｐ型パッキン４７の場合）または帯状突部１７ｃ（平板パッキン４８の場合）の外形に沿って自在に変形させることができ、扉本体８と戸当たり１６との間（Ｐ型パッキン４７の場合）または戸当たり１６と帯状突部１７ｃとの間（平板パッキン４８の場合）を隙間なく埋めて、弾性体であるＰ型パッキン４７・平板パッキン４８の水密性能を著しく向上させることができる。
【００９１】
加えて、前記第一弾性体であるＰ型パッキン４７は、いずれも多層弾性体構造である、被押圧部材である戸当たり１６の後面１６ｄ内を押圧する第一弾性部６６と、戸当たり１６の端部である回転先端部１６ｆを押圧する第二弾性部６９とを備え、前記第一弾性部６６は、前記硬質弾性材７８から成る断面視Ｐ型形状の第一基部６７の円筒部分６７ａの表面である前面６７ａ１を、前記軟質弾性材７９から成る半割パイプ形状の第一表部６８で覆って形成し、前記第二弾性部６９は、前記硬質弾性材７８から成る平板形状の第二基部７０の表面である前面７０ａを、前記軟質弾性材７９から成る平板形状の第二表部７１で覆って形成するので、戸当たり１６の後面１６ｄ内には、内部に空孔を有していて弾性変形量が大きい第一基部６７の円筒部分６７ａにより支持した第一表部６８を当接して、第一弾性部６６を高圧縮状態とし、戸当たり１６の回転先端部１６ｆには、平板形状であって回転先端部１６ｆで発生する隙間が小さい第二基部７０により支持した第二表部７１を当接して、該回転先端部１６ｆを隙間なく閉塞することができ、戸当たり１６の部位に適した弾性部である第一弾性部６６または第二弾性部６９を当接し、様々な形状の戸当たり１６への対応が可能となって、高い水密性能が得られる。
【００９２】
そして、前記戸当たり装置２を備えた防水扉１であって、通路途中や出入口の内周壁６に設けられた扉枠７と、水平回動して該扉枠７を開放・閉塞可能な止水板１３・１４を有する扉本体８と、該扉本体８の回転先端部である右縁部１４ａを前記内周壁６に固定するロック機構１１とを含み、前記扉本体８には、前記周縁部８ａの扉閉方向前面である前面８ａ２にあって水圧により扉枠と戸当たりに押圧される外周弾性部１２を備え、該外周弾性部１２を前記第一弾性体であるＰ型パッキン４７により形成するので、起伏式防水扉のような床内の扉収納スペースや、引き戸式防水扉のような扉収納スペースとしての幅広の袖部が不要となり、通常時には、扉本体８を水平回動させて左右側壁のうちの左側壁部６ａ近傍に設けた戸袋９などに収納するだけでよく、扉本体８の収納スペースを別途に大きく確保する必要がない。一方、防水時には、扉本体８の右縁部１４ａを内周壁６にロックした状態で、水圧によって外周弾性部１２を扉枠７と戸当たり１６に押圧することができ、扉本体８の幅中央などにロック機構を設けた場合のように、前記扉枠７と戸当たり１６に作用する水圧が該ロック機構に支持されて大きく減少することを防止し、扉本体８を閉じた際の水密性を十分に確保することができる。
【産業上の利用可能性】
【００９３】
本発明は、防水扉の閉時に該防水扉の扉本体の周縁部が当接する戸当たりと、上面が床面に略面一となるように埋設され前記戸当たりが収納される上開口有底状の収納体とを有する全ての戸当たり装置、およびそれを備えた防水扉に適用することができる。
【符号の説明】
【００９４】
１  防水扉
２  戸当たり装置
３ａ  床面
６  内周壁
７  扉枠
８  扉本体
８ａ  周縁部
８ａ２  前面（扉閉方向前面）
１１  ロック機構
１２  外周弾性部
１３・１４  止水板
１４ａ  右縁部（回転先端部）
１６  戸当たり
１６ａ  回転基端部
１６ｃ  前面（扉閉方向前面）
１６ｄ  後面（扉閉方向後面）
１６ｆ  回転先端部（端部）
１７  収納体
１７ａ１  底面
１７ｃ  帯状突起（受圧支持部）
１７ｄ２  縦壁部（部位）
１７ｅ  上部開口
１８  扉閉方向
４３  ヒンジ
４４  リブ
４５  倒伏位置
４６・４６ａ・４６ｂ  起立位置
４７  Ｐ型パッキン（第一弾性体）
４８  平板パッキン（第二弾性体）
４９  取っ手（把持部）
５１  起立方向
５３  起立保持構造
５４  水密構造
５５  スペーサ
５５ａ  上面
５７  ねじりコイルバネ（第一起立動作補助部材）
５８  ダンパ（第二起立動作補助部材）
６０  蓋板
６０ａ  回転基端部
６０ｃ  上面
６０ｄ  下面
６４  突部材
６６  第一弾性部
６７  第一基部
６７ａ  円筒部分
６７ａ１  前面（表面）
６８  第一表部
６９  第二弾性部
７０  第二基部
７０ａ  前面（表面）
７１  第二表部
７３  多層弾性体構造
７８  硬質弾性材
７９  軟質弾性材
【図１】
0005977320.tif 000002
【図２】
0005977320.tif 000003
【図３】
0005977320.tif 000004
【図４】
0005977320.tif 000005
【図５】
0005977320.tif 000006
【図６】
0005977320.tif 000007
【図７】
0005977320.tif 000008
【図８】
0005977320.tif 000009
【図９】
0005977320.tif 000010
【図１０】
0005977320.tif 000011
【図１１】
0005977320.tif 000012
【図１２】
0005977320.tif 000013